(57)【要約】【課題】複数の画像検出器と複数の医用撮像装置との間の適合性を促進するためのシステムを提供する。【解決手段】本システムは、画像検出器に関連したハードウエアＩＤと医用撮像装置内のソフトウエア・アプリケーションに関連したファームウエアＩＤとを有する検出器識別子を保存するためのメモリを有する。前記ファームウエアＩＤは複数のストリングを有する。プロセッサが画像検出器からファームウエア識別子を受け取って、前記ファームウエア識別子及び前記検出器識別子に基づいて前記医用撮像装置に対する前記画像検出器の適合性を確立する。【選択図】図１
2014042828.tif 000002
【特許請求の範囲】
【請求項１】
複数の画像検出器と複数の医用撮像装置との間の適合性を促進するためのシステムであって、
画像検出器に関連したハードウエアＩＤと医用撮像装置と適合するファームウエアに関連したファームウエアＩＤとを有する検出器識別子を保存するためのメモリであって、前記ファームウエアＩＤは複数のストリングを有している、当該メモリと、
画像検出器からファームウエア識別子を受け取って、前記ファームウエア識別子及び前記検出器識別子に基づいて前記医用撮像装置に対する前記画像検出器の適合性を確立するためのプロセッサと、
を有するシステム。
【請求項２】
前記複数のストリングは１つ以上の正規表現を有している、請求項１記載のシステム。
【請求項３】
前記複数のストリングの１つ以上のストリングは、画像検出器のファームウエアが前記医用撮像装置に関連したファームウエアと適合するかどうかを表している、請求項１記載のシステム。
【請求項４】
前記ファームウエア識別子は検出器ハードウエアＩＤと検出器ファームウエアＩＤとを有しており、
前記プロセッサは更に、前記検出器識別子内の通信インターフェースに関連した少なくとも１つのストリングが前記検出器ファームウエアＩＤ内の少なくとも１つの文字と一致したとき、前記画像検出器が前記医用撮像装置と適合すると決定するように構成されており、前記少なくとも１つの文字は前記画像検出器と前記医用撮像装置との間の通信インターフェースに対応している、請求項３記載のシステム。
【請求項５】
前記複数のストリングの少なくとも１つのストリングは、前記医用撮像装置と適合するファームウエア・バージョンに関連している、請求項３記載のシステム。
【請求項６】
前記プロセッサは更に、前記医用撮像装置に適合するファームウエア・バージョンに関連した少なくとも１つのストリングが前記検出器ファームウエアＩＤ内の少なくとも１つの文字と一致しないとき、前記画像検出器が前記医用撮像装置と不適合であると識別するように構成されており、前記少なくとも１つの文字は前記画像検出器内のファームウエア・バージョンと関連している、請求項５記載のシステム。
【請求項７】
画像検出器に関連したハードウエアＩＤと、
医用撮像装置に適合するファームウエアに関連したファームウエアＩＤであって、当該ファームウエアＩＤは複数のストリングを有し、また当該ファームウエアＩＤは、前記医用撮像装置を複数の画像検出器と容易に適合させることができる、当該ファームウエアＩＤと、
を有する、医用撮像装置に保存可能である検出器識別子。
【請求項８】
前記検出器識別子は、前記撮像装置内に保存された構成設定ファイルに付加されており、前記撮像装置は医用撮像装置であり、また前記検出器識別子内の前記複数のストリングは少なくとも１つの正規表現を有している、請求項７記載の検出器識別子。
【請求項９】
前記複数のストリングの少なくとも１つのストリングは、前記画像検出器のファームウエアが前記医用撮像装置に関連したファームウエアと適合するかどうかを表している、請求項７記載の検出器識別子。
【請求項１０】
前記検出器識別子内の通信インターフェースに関連した少なくとも１つのストリングが、画像検出器に関連したファームウエア識別子の検出器ファームウエアＩＤ内の少なくとも１つの文字と一致したとき、前記画像検出器は前記医用撮像装置と適合しており、前記少なくとも１つの文字は前記画像検出器と前記医用撮像装置との間の通信インターフェースに対応している、請求項９記載の検出器識別子。
【請求項１１】
前記複数のストリングの少なくとも１つのストリングは、前記撮像装置に適合するファームウエア・バージョンに関連している、請求項９記載の検出器識別子。
【請求項１２】
医用撮像装置に適合するファームウエア・バージョンに関連している前記少なくとも１つのストリングが前記検出器ファームウエアＩＤ内の少なくとも１つの文字と一致していないとき、前記画像検出器は前記医用撮像装置と不適合であり、前記少なくとも１つの文字は前記画像検出器内のファームウエア・バージョンに関連している、請求項１１記載の検出器識別子。
【請求項１３】
医用撮像装置と複数の画像検出器との間の適合性を促進する方法であって、
検出器識別子を医用撮像装置に保存する段階であって、前記検出器識別子は、画像検出器に関連したハードウエアＩＤと医用撮像装置に適合するファームウエアに関連したファームウエアＩＤとを有し、該ファームウエアＩＤは複数のストリングを有している、当該段階と、
画像検出器からファームウエア識別子を受け取る段階と、
前記ファームウエア識別子及び前記検出器識別子に基づいて前記医用撮像装置に対する前記画像検出器の適合性を確立する段階と、
を有する方法。
【請求項１４】
検出器識別子を医用撮像装置に保存する前記段階は、構成設定ファイルに前記検出器識別子を付加する段階を有し、前記検出器識別子内の前記複数のストリングは少なくとも１つの正規表現を有している、請求項１３記載の方法。
【請求項１５】
前記複数のストリングの少なくとも１つのストリングは、前記画像検出器のファームウエアが前記医用撮像装置に関連したファームウエアと適合するかどうかを表しており、
前記方法は更に、前記検出器識別子内の通信インターフェースに関連した少なくとも１つのストリングが、画像検出器に関連したファームウエア識別子の検出器ファームウエアＩＤ内の少なくとも１つの文字と一致したとき、前記画像検出器が前記医用撮像装置と適合すると決定する段階を有し、前記少なくとも１つの文字は前記画像検出器と前記医用撮像装置との間の通信インターフェースに対応している、請求項１４記載の方法。
【請求項１６】
前記複数のストリングの少なくとも１つのストリングは、医用撮像装置に適合するファームウエア・バージョンに関連しており、
前記方法は更に、前記画像検出器のファームウエア・バージョンに関連している少なくとも１つのストリングが前記検出器ファームウエアＩＤ内の少なくとも１つの文字と一致していないとき、前記画像検出器が前記医用撮像装置と不適合であると識別する段階を有し、前記少なくとも１つの文字は前記画像検出器内のファームウエア・バージョンに関連している、請求項１５記載の方法。
【発明の詳細な説明】
【技術分野】
【０００１】
本書に開示の内容は、被検者の解剖学的構造の画像(image) を取得するために使用される画像検出器に関するものである。より具体的に述べると、開示内容は、複数の画像検出器と複数の撮像装置（例えば、医用撮像装置）との間の適合性(compatibility) を促進するためのシステム及び方法に関するものである。
【背景技術】
【０００２】
撮像装置は、通常、様々な物体の画像を取得するために使用されている。医療団体では、解剖学的構造について診断活動を行うために医用撮像装置が使用されている。取得された画像は、放射線技師又は医師のような医療実施者に対して解剖学的構造の内部の詳しいビュー(view)を提供する。医用撮像装置では、画像検出器が、医用撮像装置からの放射線照射に応答して解剖学的構造の画像を取得する。画像検出器は無線又は有線画像検出器とすることができる。無線画像検出器は、超広帯域ネットワークのような無線ネットワーク技術を用いて医用撮像装置と通信することができる。このような無線画像検出器は持ち運び可能であって、1つの場所から別の場所へ移動して、それらの場所にある医用撮像装置と接続することができる。無線画像検出器は、固有のＩＤを持つことのできるファームウエアを含み、また医用撮像装置はホスト・アプリケーションを含むことができる。無線画像検出器は通信インターフェースを介して医用撮像装置と通信する。そこで、無線画像検出器を医用撮像装置と適合させるためには、同じ通信インターフェースを共用することが必要である。画像検出器内に存在するファームウエアに何らかの変更があると、その結果として固有のファームウエアＩＤが発生されることがあり、そこで、撮像装置内のホスト・アプリケーションは、撮像装置と画像検出器との間の通信を容易にするために該ファームウエアＩＤと適合することが必要である。更に、たとえ通信インターフェースが変更されなかった場合でも、撮像装置内のホスト・アプリケーションと適合性のある新しいファームウエアは、ホスト・アプリケーションと共に使用することが許可されないことがある。そこで、画像検出器を医用撮像装置と一緒に動作させるためには、ホスト・アプリケーションを画像検出器内のファームウエアと適合させるために医用撮像装置について更新を行うことを必要とする。別のやり方では、ファームウエアを医用撮像装置内のホスト・アプリケーションと適合させるために画像検出器においてファームウエアの更新を行うことを必要とする。
【０００３】
従って、画像検出器と医用撮像装置との間の適合性を促進するシステムが必要とされる。
【発明の概要】
【０００４】
本書では、上述の欠点、不利な点及び問題に対処するが、それは以下の記載を読んで理解することによって明らかになろう。
【０００５】
以下に詳しく説明するように、本発明の様々な実施形態は、複数の画像検出器と複数の医用撮像装置との間の適合性を促進するためのシステムを含む。本システムは、画像検出器に関連したハードウエアＩＤと医用撮像装置内のソフトウエア・アプリケーションに関連したファームウエアＩＤとを有する検出器識別子を保存するためのメモリを有する。前記ファームウエアＩＤは複数のストリング（文字列）を有する。プロセッサが画像検出器からファームウエア識別子を受け取って、前記ファームウエア識別子及び前記検出器識別子に基づいて前記医用撮像装置に対する前記画像検出器の適合性を確立する。
【０００６】
別の実施形態では、医用撮像装置に保存可能である検出器識別子が開示される。この検出器識別子は、画像検出器に関連したハードウエアＩＤと医用撮像装置内のソフトウエア・アプリケーションに関連したファームウエアＩＤとを含む。前記ファームウエアＩＤは複数のストリングを有する。前記ファームウエアＩＤは、医用撮像装置を複数の画像検出器と容易に適合させることができる。
【０００７】
更に別の実施形態では、医用撮像装置と複数の画像検出器との間の適合性を促進する方法が開示される。この方法では、検出器識別子が医用撮像装置に保存される。前記検出器識別子は、画像検出器に関連したハードウエアＩＤと前記医用撮像装置内のソフトウエア・アプリケーションに関連したファームウエアＩＤとを含む。前記ファームウエアＩＤは複数のストリングを有する。その後、前記医用撮像装置に接続しようとする画像検出器からファームウエア識別子を受け取る。前記ファームウエア識別子及び前記検出器識別子に基づいて前記画像検出器と前記医用撮像装置との間の適合性が確立される。前記検出器識別子は、前記医用撮像装置と前記画像検出器との間の通信を開始するために前記ファームウエア識別子と適合することを必要とする。
【０００８】
本発明の様々な他の特徴、目的及び利点は、当業者には、添付の図面及び以下の詳細な説明から明らかになろう。
【図面の簡単な説明】
【０００９】
【図１】図１は、一実施形態に従った、画像検出器が医用撮像装置と通信する模範的な状況を例示する概略図である。
【図２】図２は、一実施形態に従った、医用撮像装置と画像検出器との間の適合性を促進するためのシステムを含む医用撮像装置を例示する概略図である。
【図３】図３は、一実施形態に従った、ファームウエア識別子及び検出器識別子を例示する概略図である。
【図４】図４は、一実施形態に従った、画像検出器においてファームウエア更新が生じた場合に医用撮像装置に保存された検出器識別子がこのようなファームウエアの変化に適応する場合の複数の模範的なシナリオを示す。
【図５】図５は、一実施形態に従った、医用撮像装置と複数の画像検出器の間の適合性を促進する方法の流れ図である。
【図６】図６は、一実施形態に従った、画像検出器のファームウエア識別子を医用撮像装置内の検出器識別子と比較して、接続を確立するための方法の流れ図である。
【発明を実施するための形態】
【００１０】
以下の詳しい説明では、その一部を形成し且つ実施することのできる特定の実施形態を例として示した添付の図面を参照する。これらの実施形態は、当業者が該実施形態を実施することができる程度に詳しく説明しており、従って、他の実施形態を利用することができること、また実施形態の範囲から逸脱することなく論理的、機械的、電気的及びその他の変更を行うことができることを理解されたい。従って、以下の詳しい説明は、本発明の範囲を制限するものとして解釈すべきではない。
【００１１】
以下に詳しく説明するように、複数の画像検出器と複数の医用撮像装置との間の適合性を促進するためのシステムを含む本発明の様々な実施形態が開示される。本システムは、画像検出器に関連したハードウエアＩＤと医用撮像装置内のソフトウエア・アプリケーションに関連したファームウエアＩＤとを有する検出器識別子を保存するためのメモリを有する。前記ファームウエアＩＤは複数のストリングを有する。プロセッサが画像検出器からファームウエア識別子を受け取って、前記ファームウエア識別子及び前記検出器識別子に基づいて前記医用撮像装置に対する前記画像検出器の適合性を確立する。
【００１２】
図１は、一実施形態に従った、画像検出器１０２が医用撮像装置１０４及び医用撮像装置１０６のような複数の医用撮像装置と通信することのできる模範的な状況１００を例示する概略図である。画像検出器１０２は有線又は無線画像検出器であってよい。医用撮像装置は、Ｘ線装置、コンピュータ断層撮影装置、ポジトロン放出型断層撮影装置、及び磁気共鳴撮像装置を含むことができる。本書の説明が医用撮像装置について考察するものであっても、当然のことながら、任意の他の種類の撮像装置も本説明の記載の範囲内にあると見なすことができる。複数の医用撮像装置は、画像検出器１０２と通信するために無線通信能力を持つことができる。一実施形態では、画像検出器１０２は超広帯域ネットワークを介して医用撮像装置と通信することができる。しかしながら、当然のことながら、画像検出器１０２は任意の他の通信ネットワーク技術を用いて医用撮像装置と通信することもできる。
【００１３】
図１に例示されているように、医用撮像装置１０４は或る所与の場所１０８に配置して、被検者１１０の解剖学的構造の画像を取得するために使用することができる。解剖学的構造の画像を取得するために、画像検出器１０２を利用することができる。画像検出器１０２は、医用撮像装置１０４と通信するために電源をオンにすることを必要とすことがある。画像検出器１０２は医用撮像装置１０４と適合することができる。より具体的に述べると、画像検出器１０２は、医用撮像装置１０４内のホスト・アプリケーションと適合するファームウエア識別子を持つファームウエアを含むことができる。医用撮像装置１０４に保存されている検出器識別子はファームウエア識別子と適合することができる。検出器識別子は、医用撮像装置１０４がファームウエアと相互作用できるようにするために、構成設定ファイルに付加されて、医用撮像装置１０４内に保存することができる。検出器識別子について、図２及び図３を参照して詳しく説明する。動作中、画像検出器１０２はファームウエア識別子を医用撮像装置１０４へ送ることができる。ファームウエアＩＤが医用撮像装置１０４によって確認されたとき、画像検出器１０２との通信が開始する。医用撮像装置１０４及び画像検出器１０２は、画像検出器１０２で被検者１１０の解剖学的構造の画像を取得するように一緒に機能する。
【００１４】
場所１１０に存在する医用撮像装置１０６を動作させるために、画像検出器１０２は使用するための場所１１０へ運ぶことができる。医用撮像装置１０６に存在する構成設定ファイルに検出器識別子が付加される。医用撮像装置１０６は、検出器識別子をファームウエア識別子と比較することによって、画像検出器１０２内のファームウエアと適合性があることを確認する。その後、医用撮像装置１０６は、被検者１２４の解剖学的構造の画像を取得するプロセスを開始するために、画像検出器１０２と通信を開始することができる。検出器識別子がファームウエア識別子と一致しない場合、医用撮像装置１０６は、ファームウエアの不適合に因り、画像検出器１０２との通信を拒絶することができる。
【００１５】
ここで図２について説明すると、図２は、一実施形態に従った、医用撮像装置１０４と画像検出器１０２との間の適合性を促進するためのシステム２００を含む医用撮像装置１０４を例示する概略図である。画像検出器１０２は、医用撮像装置１０４の近くに到達したとき、電源をオンにすることができる。次いで、画像検出器１０２は、例えば超広帯域ネットワークのような通信ネットワークを介して医用撮像装置１０４と通信を開始する。システム２００は、医用撮像装置１０４に常駐させて、この通信の開始を容易にすることができる。システム２００は、メモリ２０２及びプロセッサ２０４を含む。メモリ２０２は、画像検出器に関連したハードウエアＩＤ２０８と医用撮像装置１０４内のホスト・アプリケーションに関連したファームウエアＩＤ２１０とを含む検出器識別子２０６を保存する。ハードウエアＩＤ２０８は、ハードウエアＩＤを表すために当該技術分野で用いられているようなストリングを含むことができる。ファームウエアＩＤ２１０は複数のストリングを含むことができる。一実施形態では、複数のストリングは１つ以上の正規表現を含むことができる。ファームウエアＩＤ２１０内の１つ以上のストリングは、画像検出器のどのファームウエアに対して、医用撮像装置１０４のアプリケーション・プラットフォームが適合しているかを指示することができる。更に、医用撮像装置１０４に適合するファームウエアのバージョン(version) を指示することのできる１つ以上の他のストリングを含むことができる。ファームウエアＩＤ２１０を表すために、このようなストリング以外の任意の他の固有の表記法を用いることもできることは勿論である。
【００１６】
検出器識別子２０６を医用撮像装置１０４に保存するために、一実施形態では、検出器識別子２０６は構成設定ファイル２１２に付加することができる。一実施形態では、構成設定ファイル２１２はテキスト・ファイルとすることができる。構成設定ファイル２１２は、メモリ２０２に保存することができる。しかしながら、検出器識別子２０６を付加した構成設定ファイル２１２は、医用撮像装置１０４内の任意の他の場所に保存させることができる。医用撮像装置１０４の動作中、プロセッサ２０４が画像検出器１０２からファームウエア識別子２１４を受け取る。ファームウエア識別子２１４は、画像検出器１０２に組み込まれたファームウエアに関連させることができる。ファームウエア識別子２１４は、検出器ハードウエアＩＤ２１６及び検出器ファームウエアＩＤ２１８を含む。検出器ハードウエアＩＤ２１６は、画像検出器１０２のハードウエアの識別表示を表す。これに対し、検出器ファームウエアＩＤ２１８は、画像検出器１０２内に存在するファームウエアに関連した識別表示を表す。ファームウエアは、画像検出器１０２に関連した機能を変更するために時々更新されることがある。そこで、ファームウエアＩＤ２１０内のストリングは、ファームウエアの何らかの更新に適応できるように規定することができる。
【００１７】
プロセッサ２０４はファームウエア識別子２１４を検出器識別子２０６と比較して、ファームウエアが医用撮像装置１０４内のアプリケーション・プラットフォームと適合するかどうか確認する。比較している間に、プロセッサ２０４は、検出器ハードウエアＩＤ２１６が医用撮像装置１０４内のハードウエアＩＤ２０８と一致(match) しているかどうか検査する。一致が見つけられたとき、プロセッサ２０４は、ファームウエアＩＤ２１０内の１つ以上のストリングが検出器ファームウエアＩＤ２１８内の１つ以上の文字(character) と一致するかどうか決定する。この段階で一致が存在しない場合、プロセッサ２０４は画像検出器１０２との通信開始を拒絶することができる。しかしながら、１つ以上のストリングが１つ以上の文字と一致する場合は、プロセッサ２０４は適合性を確立して、画像検出器１０２と医用撮像装置１０４との間の通信を開始させる。
【００１８】
更に、比較プロセス中に、プロセッサ２０４は、医用撮像装置１０４に適合するファームウエアのバージョンに関連した１つ以上のストリングが、検出器ファームウエアＩＤ２１８内の１つ以上の文字と一致するかどうか、決定することができる。これらの文字は、画像検出器１０２に組み込まれたファームウエアのバージョンを表すことができる。これらのストリングと文字との間に不一致がある場合、これは、医用撮像装置１０４に適合するファームウエア・バージョンが画像検出器１０２内のファームウエア・バージョンと一致していないことを表す。この事は、図３について後で詳しく説明する。結果として、プロセッサ２０４は、画像検出器１０２との通信の開始を拒絶することができる。しかしながら、一致が存在する場合は、プロセッサ２０４は医用撮像装置１０４と画像検出器１０２との間の通信を開始させることができる。
【００１９】
次に図３について説明すると、図３は、模範的な一実施形態に従った、ファームウエア識別子３００及び検出器識別子３０２を例示する。ファームウエア識別子３００は、「２５６ｄ」と表された検出器ハードウエアＩＤ３０４を含む。これは、画像検出器に関連したハードウエアを表記し、殆ど一定に留まる。しかしながら、ファームウエア識別子３００内の検出器ファームウエアＩＤ３０６は、画像検出器におけるファームウエア更新時に何らかの変化を持つことがある。検出器ファームウエアＩＤ３０６は「０ｃ１１」と表記される。これは、画像検出器に組み込まれたファームウエアを表す。画像検出器が医用撮像装置と接続して通信することを必要としているとき、ファームウエア識別子３００は、医用撮像装置の保存されている検出器識別子３０２と適合することを必要とする。図２について説明したように、検出器識別子３０２は、医用撮像装置に保存された構成設定ファイルに保存させることができる。検出器識別子３０２は、ハードウエアＩＤ３０８及びファームウエアＩＤ３１０を含む。ハードウエアＩＤ３０８は「２５６ｄ」と表されることがある。このハードウエアＩＤ３０８は、医用撮像装置が画像検出器のハードウエアと適合することを表している。そこで、最初に画像検出器と医用撮像装置とを接続している間、ハードウエアＩＤ３０８が検出器ハードウエアＩＤ３０４と比較されて、一致があるかどうか決定される。
【００２０】
ファームウエアＩＤ３１０は、画像検出器のファームウエアに時々行われることのある何らかの変更に適応するように、規定することができる。従って、ファームウエアＩＤ３１０は、「０＊＊＊」のような複数のストリングを用いて表記することができる。一実施形態では、ファームウエアＩＤ３１０は正規表現を用いて表記することができる。画像検出器と医用撮像装置との間の接続を確立するために、ハードウエアＩＤ３０８と検出器ハードウエアＩＤ３０４とを比較した後、ファームウエアＩＤ３１０と検出器ファームウエアＩＤ３０６との間で比較を遂行して、一致(match) を決定することができる。ファームウエアＩＤ３１０内のストリング「０」が、「０ｃ１１」と表記された検出器ファームウエアＩＤ３０６内の第１の文字と一致する場合、これは、医用撮像装置が画像検出器内に組み込まれたファームウエアと適合することを表す。更に、ファームウエアＩＤ３１０内のストリング「＊＊＊」は、残りの文字の様々な変化、すなわち、検出器ファームウエアＩＤ３０６内の「ｃ１１」に適応するように規定することができる。この場合、ストリング「＊＊＊」は、医用撮像装置が画像検出器に組み込まれたファームウエアのバージョンと適合することを示す。ストリング「０」が検出器ファームウエアＩＤ３０６内の第１の文字と一致しない場合、医用撮像装置は画像検出器と適合しない。このように、医用撮像装置に保存された検出器識別子３０２は、画像検出器内のファームウエアに関連したファームウエア・バージョンの変更のような様々な変化に適応するように規定することができる。これは、単一の画像検出器が、検出器識別子３０２のような検出器識別子を持つ多数の医用撮像装置と適合するのを容易にして、適合性を満たすための現場での医用撮像装置のファームウエアの修正又は画像検出器のファームウエアの修正の必要性を低減する。
【００２１】
現在、画像検出器においてファームウエアの更新は普通のことであり、また軽微なファームウエア・バージョンの更新が生じる場合が多くあり、従って画像検出器と医用撮像装置との間の適合性を確立するように適応する必要性がある。図４は、一実施形態に従った、画像検出器においてファームウエア更新が生じた場合に医用撮像装置に保存された検出器識別子がこのようなファームウエアの変化に適応する場合の複数の模範的なシナリオを示す。シナリオ４００を考察すると、検出器識別子「２５６ｄ０＊＊＊」を医用撮像装置１、医用撮像装置２及び医用撮像装置３に保存することができる。これらの医用撮像装置は異なるアプリケーション・プラットフォームで動作する。画像検出器は、医用撮像装置１、医用撮像装置２及び医用撮像装置３との接続を希望することがある。そこで、各医用撮像装置の検出器識別子と画像検出器内のファームウエア識別子との比較を遂行することができる。画像検出器内に保存されたファームウエア識別子が「２５６ｄ０ｃ１１」である場合、比較の際に、検出器識別子内のストリング「０」がファームウエア識別子内の文字「０」と一致する。更に、他のストリング「＊＊＊」は、画像検出器内のファームウエア・バージョンを表記する残りの文字「ｃ１１」に適応することができる。従って、画像検出器は、医用撮像装置１、医用撮像装置２及び医用撮像装置３と適合する。
【００２２】
別のシナリオ４０２では、医用撮像装置１、医用撮像装置２及び医用撮像装置３と接続する必要のある画像検出器が、ファームウエア識別子「２５６ｄ０ｃ２１」を持つファームウエアを含むことがある。ファームウエア識別子内の文字「２」は、シナリオ４００と比較したとき、画像検出器内に保存されたファームウエアのバージョンの更新が生じたことを表している。ファームウエアの更新は、ファームウエアのマイナー・ビットの変更であることがある。上記の医用撮像装置内の検出器識別子は「２５６ｄ０＊＊＊］として表記されている。これらの検出器識別子は、画像検出器のファームウエアにおけるこのマイナーな変更に適応することができる。その理由は、検出器識別子内のストリング「０＊＊＊」が、「０ｃ２１」と表記されたファームウエア・バージョンを医用撮像装置と適合させることができるからである。
【００２３】
画像検出器における二重エネルギのような、ファームウエアについての特定の変更又は更新が生じる場合がある。医用撮像装置１及び医用撮像装置２に割り当てられる画像検出器が「２５６ｄ０ｃ１１」のファームウエア識別子を持つファームウエアを保存している場合のシナリオ４０４を考察する。図４に示されているように、このファームウエアを持つ画像検出器は、検出器識別子「２５６ｄ０＊＊＊」がファームウエア識別子と適合性があるので、医用撮像装置１及び医用撮像装置２と適合することができる。「２５６ｄ０ｄ１１」のファームウエア識別子を持つ別の画像検出器が医用撮像装置と接続する必要があるとき、ファームウエア識別子と検出器識別子との比較を遂行する必要がある。ファームウエア識別子内の文字「ｄ」は、二重エネルギについてのビット変更に関連させることができる。ファームウエアにおけるこの修正は、医用撮像装置３に関連したアプリケーション・プラットフォームに特有のものであることがある。そこで、画像検出器と医用撮像装置３との間の接続を確立するために、医用撮像装置３は検出器識別子「２５６ｄ０ｄ＊＊」を持つ必要がある。これは、ファームウエアの修正が医用撮像装置３のアプリケーション・プラットフォームに特有のものであるからである。しかしながら、ファームウエア識別子「２５６ｄ０ｄ１１」を持つ画像検出器は、医用撮像装置１及び医用撮像装置２の検出器識別子（すなわち、「２５６ｄ０＊＊＊」）について何ら修正を必要とすることなく、それらの医用撮像装置１及び医用撮像装置２と接続することが可能である。これは、これらの医用撮像装置が、二重エネルギの変更を要求しない異なるプラットフォームで動作しているからである。従って、ファームウエア識別子「２５６ｄ０ｄ１１」を持つ画像検出器は、医用撮像装置１及び医用撮像装置２と適合性がある。
【００２４】
ファームウエア識別子「２５６ｄ０ｃ１１」を持つ画像検出器を医用撮像装置３に接続する必要がある場合、検出器識別子「２５６ｄ０ｄ＊＊」との不一致を識別することができる。医用撮像装置３が該画像検出器と一緒に動作するためには二重エネルギに特有のファームウエア変更が必要とされるので、ファームウエア識別子「２５６ｄ０ｃ１１」は適合しない。従って、画像検出器内のファームウエア識別子「２５６ｄ０ｃ１１」は、接続を確立するために「２５６ｄ０ｄ１１」へ更新する必要がある。そこで、画像検出器が医用撮像装置３に接続しようとするとき、画像検出器において更新を開始するように、プロンプト（催促）又は警告を送ることができる。一実施形態では、プロンプト又は警告は、ユーザーがファームウエア修正を行うことができるように、医用撮像装置３に表示することができる。その後、修正が完了したとき、更新された検出器は医用撮像装置１及び医用撮像装置２と接続することができる。と云うのは、更新されたファームウエア識別子「２５６ｄ０ｄ１１」はこれらの医用撮像装置の検出器識別子「２５６ｄ０＊＊＊」と適合性があるからである。従って、検出器識別子「２５６ｄ０＊＊＊」は、これらの医用撮像装置において何らかのファームウエア更新を遂行する必要性、及びまた更新されたファームウエア識別子「２５６ｄ０ｄ１１」を持つ画像検出器においてファームウエア修正を遂行する必要性を回避する。
【００２５】
次にシナリオ４０６について説明すると。医用撮像装置１及び医用撮像装置２が、「２５６ｄ０＊＊＊」と表記された検出器識別子を持つことができる。複数の画像検出器が「２５６ｄ０ｃ１１」としたファームウエア識別子を持っている場合、これらの医用撮像装置と画像検出器との間には、それらの適合性によって、接続が確立される。医用撮像装置１及び医用撮像装置２に接続された画像検出器の内の任意の１つが、医用撮像装置３に接続しようとしている場合、この要求は拒絶される。これは、医用撮像装置３に関連した検出器識別子「２５６ｄ１＊＊＊」の不適合性に起因する。その結果、システム２００のような医用撮像装置３内のシステムが、「２５６ｄ１ｃ１１」としたファームウエア識別子を持つように画像検出器内のファームウエアを更新するためのプロンプト又は警告を送ることができる。更新が完了したとき、画像検出器は医用撮像装置３と接続される。このとき、更新されたファームウエア識別子「２５６ｄ１ｃ１１」を持つ画像検出器を医用撮像装置１及び医用撮像装置２との接続に戻そうとした場合、その接続は拒絶される。その理由は、画像検出器の更新されたファームウエア識別子が、それらの医用撮像装置の検出器識別子「２５６ｄ０＊＊＊」に適合しないからである。従って、それらの医用撮像装置と接続するためにはファームウエア識別子「２５６ｄ０ｃ１１」を持つように画像検出器について別の更新を遂行することが必要になる。
【００２６】
次に図５について説明すると、図５は、一実施形態に従った、医用撮像装置と複数の画像検出器との間の適合性を促進する方法５００を例示する。図１について説明したように、医用撮像装置は、Ｘ線装置、コンピュータ断層撮影装置、ポジトロン放出型断層撮影装置、及び磁気共鳴撮像装置を含むことができる。様々な画像検出器が医用撮像装置と接続することを必要とすることがあり、又は或る１つの画像検出器が複数の医用撮像装置と接続しようとすることがある。そこで、異なるファームウエアが組み込まれた様々な画像検出器を受け容れる医用撮像装置の能力は、動作の向上を容易にする。医用撮像装置のこの能力を可能にするために、段階５０２において、検出器識別子が医用撮像装置に保存される。この検出器識別子は、画像検出器に関連したハードウエアＩＤ、及び医用撮像装置と適合するファームウエアに関連したファームウエアＩＤを含む。ハードウエアＩＤは、ハードウエアＩＤを表すために当該技術分野で用いられているストリングを含むことができる。ファームウエアＩＤは複数のストリングを含むことができる。一実施形態では、該複数のストリングは１つ以上の正規表現を含むことができる。ファームウエアＩＤ内の１つ以上のストリングは、画像検出器のどのファームウエアに対して、医用撮像装置内のホスト・アプリケーションが適合しているかを指示することができる。更に、医用撮像装置に適合するファームウエアのバージョンを指示することのできる１つ以上の他のストリングを含むことができる。ファームウエアＩＤを表すために、ストリング以外の任意の他の固有の表記法を用いることもできることは勿論である。一実施形態では、検出器識別子は構成設定ファイルに付加することができる。構成設定ファイルは、医用撮像装置のメモリに保存することができる。
【００２７】
画像検出器を医用撮像装置と接続するために、段階５０４において、画像検出器のファームウエア識別子を医用撮像装置で受け取る。ファームウエア識別子は、検出器ハードウエアＩＤ及び検出器ファームウエアＩＤを含む。次いで、ファームウエア識別子を医用撮像装置内の検出器識別子と比較して、ファームウエアが医用撮像装置内のホスト・アプリケーションと適合するかどうか確認する。比較している間に、検出器ハードウエアＩＤが検出器識別子内のハードウエアＩＤと一致するかどうか検査する。一致が見つけられたとき、段階５０６において、適合性が確立されて、画像検出器と医用撮像装置との間の通信を開始する。
【００２８】
次に図６について説明すると、図６は、一実施形態に従った、画像検出器のファームウエア識別子を医用撮像装置内の検出器識別子と比較して、接続を確立するための方法６００を例示する。方法６００では、段階６０２において、画像検出器のファームウエア識別子を医用撮像装置で受け取る。その後、段階６０４において、このファームウエア識別子を医用撮像装置内の検出器識別子と比較して、ファームウエアが医用撮像装置内のホスト・アプリケーションと適合するかどうか確認する。比較している間に、段階６０６において、検出器ハードウエアＩＤが検出器識別子内のハードウエアＩＤと一致するかどうか検査する。一致が見つけられなかった場合、段階６０８において、画像検出器と医用撮像装置との間の接続を拒絶する。この拒絶は、不適合性の確認と共にオペレータへ通告することができる。
【００２９】
他方、一致が見つけられた場合は、段階６１０において、ファームウエアＩＤが検出器ファームウエアＩＤと一致するかどうか決定する検査を行う。一実施形態では、これは、ファームウエアＩＤ内の１つ以上のストリングが検出器ファームウエアＩＤ内の１つ以上の文字と一致するがどうか検査することによって行われる。更に、別の実施形態では、比較プロセス中に、医用撮像装置に適合するファームウエアのバージョンに関連した１つ以上のストリングが、検出器ファームウエアＩＤ内の１つ以上の文字と一致するかどうか決定する検査が行われる。これらの文字は、画像検出器に組み込まれたファームウエアのバージョンを表すことができる。この段階において一致が存在しない場合、段階６１２において、画像検出器と医用撮像装置との間の接続が拒絶される。この拒絶は、不適合性の確認と共にオペレータへ通告することができる。しかしながら、１つ以上のストリングが１つ以上の文字と一致した場合、画像検出器と医用撮像装置との間の適合性が確認される。その結果、段階６１４において、画像検出器と医用撮像装置との間の接続又は通信が確立される。
【００３０】
方法５００及び６００は、プロセッサ又は任意の他の処理装置を使用して遂行することができる。方法の各段階は、有形のコンピュータ読取り可能な媒体に保存された符号化命令（例えば、コンピュータ読取り可能な命令）を用いて具現化することができる。有形のコンピュータ読取り可能な媒体としては、例えば、 フラッシュ・ メモリ、読出し専用メモリ（ＲＯＭ）、ランダム・アクセス・メモリ（ＲＡＭ）、任意の他のコンピュータ読取り可能な記憶媒体及び任意の記憶媒体を挙げることができる。医用撮像装置と複数の画像検出器との間の適合性を促進する方法、並びに接続を確立するために画像検出器のファームウエア識別子を医用撮像装置内の検出器識別子と比較する方法について、図５及び図６の流れ図を参照して説明したが、本方法を具現化する他の方法を用いることができる。例えば、方法の各段階を実行する順序は変えることができ、及び／又は記載した方法の諸段階の内の幾分かを変更し、除去し、分割し又は組み合わせることができる。更に、方法の複数の段階は、患者監視装置の表示ユニットで医用画像フィルムを表示するために、逐次的に又は同時に実行することができる。
【００３１】
本明細書は、最良の実施形態を含めて、本発明を開示するために、また当業者が任意の装置又はシステムを作成し使用し、任意の採用した方法を遂行すること含めて、本発明を実施できるようにするために、様々な例を使用した。本発明の特許可能な範囲は「特許請求の範囲」の記載に定めており、また当業者に考えられる他の例を含み得る。このような他の例は、それらが「特許請求の範囲」の文字通りの記載から実質的に差異のない構造的要素を持つ場合、或いはそれらが「特許請求の範囲」の文字通りの記載から実質的に差異のない等価な構造的要素を含む場合、特許請求の範囲内にあるものとする。
【符号の説明】
【００３２】
１００  模範的な状況
１０４  医用撮像装置
１０６  医用撮像装置
１２４  被検者
２００  適合性を促進するためのシステム
３００  ファームウエア識別子
３０２  検出器識別子
３０４  検出器ハードウエアＩＤ
３０６  検出器ファームウエアＩＤ
３０８  ハードウエアＩＤ
３１０  ファームウエアＩＤ
４００、４０２、４０４、４０６  シナリオ
５００  方法
６００  方法
【図１】
2014042828.tif 000003
【図２】
2014042828.tif 000004
【図３】
2014042828.tif 000005
【図４】
2014042828.tif 000006
【図５】
2014042828.tif 000007
【図６】
2014042828.tif 000008